(57)【要約】【課題】  コンパクトな状態で出荷及び保管することができ、災害時、特に、震災時など、比較的長期間の避難生活を余儀なくされる場合に備えて、地域自治体などが備蓄するのに相応しく、使用する際の準備が容易であり、高齢者や妊婦など、体育館などの床に毛布や段ボール程度で寝かすには相応しくない人達に少しでも良い寝心地を提供することができる備蓄用寝具のセット方法と備蓄用寝具セットを提供すること。【解決手段】  複数個のスプリングマットレス分割単位を所定の間隔を存した状態で並べその上に掛布団を掛ける工程と、上記掛布団を掛けた状態でフィルム袋体内に入れる工程と、上記フィルム袋体内に入れた状態でその全面を圧縮するとともに上記フィルム袋体内の空気を吸引して上記フィルム袋体の空気吸引側を封止する工程と、上記圧縮された状態のものを折り畳んで、上記スプリングマットレス分割単位を重ね合わせた状態で固定する工程と、を具備したもの。【選択図】  図６
2018057666.tif 000002
【特許請求の範囲】
【請求項１】
複数個のスプリングマットレス分割単位を所定の間隔を存した状態で並べその上に掛布団を掛ける工程と、
上記掛布団を掛けた状態でフィルム袋体内に入れる工程と、
上記フィルム袋体内に入れた状態でその全面を圧縮するとともに上記フィルム袋体内の空気を吸引して上記フィルム袋体の空気吸引側を封止する工程と、
上記圧縮された状態のものを折り畳んで、上記スプリングマットレス分割単位を重ね合わせた状態で固定する工程と、
を具備したことを特徴とする備蓄用寝具のセット方法。
【請求項２】
請求項１記載の備蓄用寝具のセット方法において、
上記スプリングマットレス分割単位と上記掛布団の間に枕が載せられることを特徴とする備蓄用寝具のセット方法。
【請求項３】
請求項１又は請求項２記載の備蓄用寝具のセット方法において、
上記フィルム袋体内に封入する前に不織布で包むようにしたことを特徴とする備蓄用寝具のセット方法。
【請求項４】
請求項１〜請求項３の何れかに記載の備蓄用寝具のセット方法において、
上記所定の間隔は上記スプリングマットレス分割単位の圧縮後の厚み程度の大きさであることを特徴とする備蓄用寝具のセット方法。
【請求項５】
請求項１〜請求項４の何れかに記載の備蓄用寝具のセット方法において、
上記スプリングマットレス分割単位は３個であり、これら３個のスプリングマットレス分割単位をＺ字状に重ね合わせることを特徴とする備蓄用寝具のセット方法。
【請求項６】
複数個のスプリングマットレス分割単位が所定の間隔で離間され且つその厚さ方向で圧縮された状態で１つのフィルム袋体内に封入され、上記スプリングマットレス分割単位間の上記フィルム袋体が圧縮されている箇所を折り畳み部分として、上記複数個のスプリングマットレス分割単位が重ね合わせられ、その重ね合わされた状態で全体が固定されていることを特徴とする備蓄寝具セット。
【請求項７】
請求項６記載の備蓄寝具セットにおいて、
掛布団と枕も上記フィルム袋体内に封入され、
上記スプリングマットレス分割単位間の上記フィルム袋体と上記掛布団が圧縮されている箇所を上記折り畳み部分とすることを特徴とする備蓄寝具セット。
【請求項８】
請求項６又は請求項７記載の備蓄寝具セットにおいて、
上記掛布団と上記枕と上記スプリングマットレス分割単位は不織布に包まれていることを特徴とする備蓄寝具セット。
【請求項９】
請求項６〜請求項８の何れかに記載の備蓄寝具セットにおいて、
上記スプリングマットレス分割単位の側面に上記スプリングマットレス分割単位を上記フィルム袋体から出した際に連結可能とする面ファスナが設けられていることを特徴とする備蓄寝具セット。
【請求項１０】
請求項６〜請求項９の何れかに記載の備蓄寝具セットにおいて、
上記スプリングマットレス分割単位の裏面には滑り止めが施されていることを特徴とする備蓄寝具セット。
【請求項１１】
請求項６〜請求項１０の何れかに記載の備蓄寝具セットにおいて、
上記スプリングマットレス分割単位はポケットコイルスプリングタイプのスプリングマットレスであることを特徴とする備蓄寝具セット。
【請求項１２】
請求項６〜請求項１１の何れかに記載の備蓄寝具セットにおいて、
上記スプリングマットレス分割単位は３個であり、
Ｚ状に畳んで上記スプリングマットレス分割単位を重ね合わせていることを特徴とする備蓄寝具セット。
【請求項１３】
請求項６〜請求項１２の何れかに記載の備蓄寝具セットにおいて、
複数個の上記スプリングマットレス分割単位が重ね合わされた状態で帯状体の巻回により全体が固定されていることを特徴とする備蓄寝具セット。
【請求項１４】
請求項１３記載の備蓄寝具セットにおいて、
上記フィルム袋体から寝具を取り出す際に用いるカッタが上記巻回される帯状体により挟み込まれていることを特徴とする備蓄寝具セット。
【発明の詳細な説明】
【技術分野】
【０００１】
本発明は、備蓄用寝具のセット方法と備蓄用寝具セットに係り、特に、コンパクトな状態で出荷及び保管することができ、災害時、特に、震災時など、比較的長期間の避難生活を余儀なくされる場合に備えて、地域自治体などが備蓄するのに相応しく、使用する際の準備が容易であり、高齢者や妊婦など、体育館などの床に毛布や段ボール程度で寝かすには相応しくない人達に少しでも良い寝心地を提供することができるように工夫したものに関する。
【背景技術】
【０００２】
例えば、地域自治体には災害時用の備蓄品があり、中でも、身体にまとう或いは寝具として使えるものとして、毛布がある。この毛布は、敷布や掛布団、座布団代わりとして使われるが、大雨災害など比較的短期間の避難生活ならまだしも、震災被害や土砂崩れなどで復旧に目途がつかないような長期の避難生活では、体育館の床に毛布や段ボールなどで寝ることが負担を増し、高齢者や妊婦などの場合には二次災害さえも起こす危険がある。
これらの問題点を解決する備蓄用寝具セットの構成を開示するものとして、例えば、特許文献１、特許文献２、特許文献３、等がある。
まず、特許文献１に記載されたスーツケース型ワンタッチ式緊急用簡易ベッドは、箱状スーツケース型本体と、この箱状スーツケース型本体に蝶番を介して開閉自在に取り付けられた箱状蓋体と、上記箱状スーツケース型本体内に収容・配置される板状のベッド部材と、から構成されている。
そして、非使用時には、上記箱状蓋体によって上記箱状スーツケース型本体が閉塞されている。一方、使用時には、上記箱状蓋体を開けて上記板状のベッド部材上に横たわることになる。
【０００３】
次に、特許文献２に記載された段ボール製組立式ベッドは、複数の板状の段ボールを組み合わせた井桁構造体を、段ボール製のカバで覆った構成となっている。
【０００４】
さらに、特許文献３に記載された簡易寝具は、平板状の蒲団本体があり、この蒲団本体には、端から幅方向に沿って半分程度の位置まで切込みが形成されている。そして、使用時に、上記切込みより頭側となる部分を折り畳んで枕として使用し、体側となる部分を掛け蒲団として使用するように構成されている。
【先行技術文献】
【特許文献】
【０００５】
【特許文献１】特開２０１２−２４５１５５号公報
【特許文献２】特開２００９−５９０２号公報
【特許文献３】特開２００２−１７２０５２号公報
【発明の概要】
【発明が解決しようとする課題】
【０００６】
上記従来の構成によると次のような問題があった。
まず、特許文献１に記載されたスーツケース型ワンタッチ式緊急用簡易ベッドの場合には、コンパクトな状態で出荷・保管できないという問題があった。すなわち、箱状スーツケース本体と箱状蓋体の存在が大きなスペースを必要としてしまうからである。
また、特許文献２に記載された段ボール製組立式ベッドは、段ボール製であり、分解した状態で折り畳むことでコンパクトな状態で出荷・保管することはできるが、使用する際に面倒な組立作業が必要になってしまうという問題があった。
さらに、特許文献３に記載された簡易寝具も、板状の蒲団本体によって構成されており、折り畳んでコンパクトな状態で出荷・保管することができ、使用する際も広げるだけで良く、面倒な作業を強いられることはないが、上記板状の蒲団本体の一部を敷き蒲団として使用するので、快適な使用感が得られないという問題があった。
【０００７】
本発明は、このような点に基づいてなされたもので、その目的とするところは、コンパクトな状態で出荷及び保管することができ、災害時、特に、震災時など、比較的長期間の避難生活を余儀なくされる場合に備えて、地域自治体などが備蓄するのに相応しく、使用する際の準備が容易であり、高齢者や妊婦など、体育館などの床に毛布や段ボール程度で寝かすには相応しくない人達に少しでも良い寝心地を提供することができる備蓄用寝具のセット方法と備蓄用寝具セットを提供することにある。
【課題を解決するための手段】
【０００８】
上記目的を達成するべく本発明の請求項１による備蓄用寝具のセット方法は、複数個のスプリングマットレス分割単位を所定の間隔を存した状態で並べその上に掛布団を掛ける工程と、上記掛布団を掛けた状態でフィルム袋体内に入れる工程と、上記フィルム袋体内に入れた状態でその全面を圧縮するとともに上記フィルム袋体内の空気を吸引して上記フィルム袋体の空気吸引側を封止する工程と、上記圧縮された状態のものを折り畳んで、上記スプリングマットレス分割単位を重ね合わせた状態で固定する工程と、を具備したことを特徴とするものである。
また、請求項２による備蓄用寝具のセット方法は、請求項１記載の備蓄用寝具のセット方法において、上記スプリングマットレス分割単位と上記掛布団の間に枕が載せられることを特徴とするものである。
また、請求項３による備蓄用寝具のセット方法は、請求項１又は請求項２記載の備蓄用寝具のセット方法において、上記フィルム袋体内に封入する前に不織布で包むようにしたことを特徴とするものである。
また、請求項４による備蓄用寝具のセット方法は、請求項１〜請求項３の何れかに記載の備蓄用寝具のセット方法において、上記所定の間隔は上記スプリングマットレス分割単位の圧縮後の厚み程度の大きさであることを特徴とするものである。
また、請求項５による備蓄用寝具のセット方法は、請求項１〜請求項４の何れかに記載の備蓄用寝具のセット方法において、上記スプリングマットレス分割単位は３個であり、これら３個のスプリングマットレス分割単位をＺ字状に重ね合わせることを特徴とするものである。
また、請求項６による備蓄寝具セットは、複数個のスプリングマットレス分割単位が所定の間隔で離間され且つその厚さ方向で圧縮された状態で１つのフィルム袋体内に封入され、上記スプリングマットレス分割単位間の上記フィルム袋体が圧縮されている箇所を折り畳み部分として、上記複数個のスプリングマットレス分割単位が重ね合わせられ、その重ね合わされた状態で全体が固定されていることを特徴とするものである。
また、請求項７による備蓄寝具セットは、請求項６記載の備蓄寝具セットにおいて、掛布団と枕も上記フィルム袋体内に封入され、上記スプリングマットレス分割単位間の上記フィルム袋体と上記掛布団が圧縮されている箇所を上記折り畳み部分とすることを特徴とするものである。
また、請求項８による備蓄寝具セットは、請求項６又は請求項７記載の備蓄寝具セットにおいて、上記掛布団と上記枕と上記スプリングマットレス分割単位は不織布に包まれていることを特徴とするものである。
また、請求項９による備蓄寝具セットは、請求項６〜請求項８の何れかに記載の備蓄寝具セットにおいて、上記スプリングマットレス分割単位の側面に上記スプリングマットレス分割単位を上記フィルム袋体から出した際に連結可能とする面ファスナが設けられていることを特徴とするものである。
また、請求項１０による備蓄寝具セットは、請求項６〜請求項９の何れかに記載の備蓄寝具セットにおいて、上記スプリングマットレス分割単位の裏面には滑り止めが施されていることを特徴とするものである。
また、請求項１１による備蓄寝具セットは、請求項６〜請求項１０の何れかに記載の備蓄寝具セットにおいて、上記スプリングマットレス分割単位はポケットコイルスプリングタイプのスプリングマットレスであることを特徴とするものである。
また、請求項１２による備蓄寝具セットは、請求項６〜請求項１１の何れかに記載の備蓄寝具セットにおいて、上記スプリングマットレス分割単位は３個であり、Ｚ状に畳んで上記スプリングマットレス分割単位を重ね合わせていることを特徴とするものである。
また、請求項１３による備蓄寝具セットは、請求項６〜請求項１２の何れかに記載の備蓄寝具セットにおいて、複数個の上記スプリングマットレス分割単位を重ね合わせた状態で帯状体の巻回により全体が固定されていることを特徴とするものである。
また、請求項１４による備蓄寝具セットは、請求項１３記載の備蓄寝具セットにおいて、上記フィルム袋体から寝具を取り出す際に用いるカッタが上記巻回される帯状体により挟み込まれていることを特徴とするものである。
【発明の効果】
【０００９】
以上述べたように本発明の請求項１による備蓄用寝具のセット方法によると、複数個のスプリングマットレス分割単位を所定の間隔を存した状態で並べその上に掛布団を掛ける工程と、上記掛布団を掛けた状態でフィルム袋体内に入れる工程と、上記フィルム袋体内に入れた状態でその全面を圧縮するとともに上記フィルム袋体内の空気を吸引して上記フィルム袋体の空気吸引側を封止する工程と、上記圧縮された状態のものを折り畳んで、上記スプリングマットレス分割単位を重ね合わせた状態で固定する工程と、を具備したので、コンパクトな状態で出荷及び保管することができ、災害時、特に、震災時など、比較的長期間の避難生活を余儀なくされる場合に備えて、地域自治体などが備蓄するのに相応しく、使用する際の準備が容易であり、高齢者や妊婦など、体育館などの床に毛布や段ボール程度で寝かすには相応しくない人達に少しでも良い寝心地を提供することができる。
また、請求項２による備蓄用寝具のセット方法によると、請求項１記載の備蓄用寝具のセット方法において、上記スプリングマットレス分割単位と上記掛布団の間に枕が載せられるため、上記枕も含めて、コンパクトに収納することができる。
また、請求項３による備蓄用寝具のセット方法によると、請求項１又は請求項２記載の備蓄用寝具のセット方法において、上記フィルム袋体内に封入する前に不織布で包むようにしたので、上記不織布と上記フィルム袋体との間の滑りにより上記フィルム袋体内への封入作業の容易化を図ることができる。
また、請求項４による備蓄用寝具のセット方法によると、請求項１〜請求項３の何れかに記載の備蓄用寝具のセット方法において、上記所定の間隔は上記スプリングマットレスの圧縮後の厚み程度の大きさであるので、折り畳み工程でその部位がヒンジとして機能することになるので、折り畳み作業の容易化を図ることができる。
また、請求項５による備蓄用寝具のセット方法によると、請求項１〜請求項４の何れかに記載の備蓄用寝具のセット方法において、上記スプリングマットレス分割単位は３個であり、これら３個のスプリングマットレス分割単位をＺ字状に重ね合わせるので、折り畳み作業の容易化を図ることができる。
また、請求項６による備蓄用寝具セットによると、複数個のスプリングマットレス分割単位が所定の間隔で離間され且つその厚さ方向で圧縮された状態で１つのフィルム袋体内に封入され、上記スプリングマットレス分割単位間の上記フィルム袋体が圧縮されている箇所を折り畳み部分として、上記複数個のスプリングマットレス分割単位が重ね合わせられ、その重ね合わされた状態で全体が固定されているので、コンパクトに収納することができ、使用する際は上記フィルム袋体を除去して上記スプリングマットレス等を取り出すだけでよいので準備が容易であり、且つ、上記スプリングマットレスを用いるため快適な使用感を得ることができる。
また、請求項７による備蓄用寝具セットによると、請求項６記載の備蓄寝具セットにおいて、掛布団と枕も上記フィルム袋体内に封入され、上記スプリングマットレス分割単位間の上記フィルム袋体と上記掛布団が圧縮されている箇所を上記折り畳み部分とするので、上記枕と掛布団も上記スプリングマットレス分割単位とともにコンパクトに収納できる。また、上記折り畳み部分が、上記フィルム袋体だけでなく内部の上記掛布団とともに構成されているので、適度に強度があり、折り畳み部分としての機能が確実に担保されるようになっている。
また、請求項８による備蓄用寝具セットによると、請求項６又は請求項７記載の備蓄寝具セットにおいて、上記掛布団と上記枕と上記スプリングマットレス分割単位は不織布に包まれているので、上記不織布と上記フィルム袋体との間の滑りにより上記フィルム袋体内への封入作業の容易化を図ることができる。
また、請求項９による備蓄用寝具セットによると、請求項６〜請求項８の何れかに記載の備蓄寝具セットにおいて、上記スプリングマットレス分割単位の側面に上記スプリングマットレス分割単位を上記フィルム袋体から出した際に連結可能とする面ファスナが設けられているので、使用時に容易に組み立てることができる。
また、請求項１０による備蓄用寝具セットによると、請求項６〜請求項９の何れかに記載の備蓄寝具セットにおいて、上記スプリングマットレス分割単位の裏面には滑り止めが施されているので、使用時にスプリングマットレスが不用意に滑ってしまうことを防止することができる。
また、請求項１１による備蓄用寝具セットによると、請求項６〜請求項１０の何れかに記載の備蓄寝具セットにおいて、上記スプリングマットレス分割単位はポケットコイルスプリングタイプのスプリングマットレスであるので、上記より快適な使用感を得ることができる。
また、請求項１２による備蓄用寝具セットによると、請求項６〜請求項１１の何れかに記載の備蓄寝具セットにおいて、上記スプリングマットレス分割単位は３個であり、Ｚ状に畳んで上記スプリングマットレス分割単位を重ね合わせているので、容易に梱包できると共に、備蓄するための空間を少なくすることができる。
また、請求項１３による備蓄用寝具セットによると、請求項６〜請求項１２の何れかに記載の備蓄寝具セットにおいて、複数個の上記スプリングマットレス分割単位を重ね合わせた状態で帯状体の巻回により全体が固定されているので、よりコンパクトに備蓄させることができる。
また、請求項１４による備蓄用寝具セットによると、請求項１３記載の備蓄寝具セットにおいて、上記フィルム袋体から寝具を取り出す際に用いるカッタが上記巻回される帯状体により挟み込まれているので、カッタを用いることで、使用時に、上記フィルム袋体内から容易に寝具を取り出すことができる。
【図面の簡単な説明】
【００１０】
【図１】本発明の一実施の形態を示す図で、備蓄用寝具セットの使用状態を示す斜視図である。
【図２】本発明の一実施の形態を示す図で、面ファスナによって連結された３つのスプリングマットレス分割単位の平面図である。
【図３】本発明の一実施の形態を示す図で、スプリングマットレス分割単位の底面図である。
【図４】本発明の一実施の形態を示す図で、３つのスプリングマットレス分割単位を全て重ねて背もたれとして使用する状態を示す斜視図である。
【図５】本発明の一実施の形態を示す図で、出荷時の梱包の手順を示す図であり、図５（ａ）は３つのスプリングマットレス分割単位を所定の間隔を存して並べその上に枕を置くとともに掛布団を掛けた状態を示す平面図、図５（ｂ）は図５（ａ）に示す状態の備蓄用寝具セットを不織布に収納した状態を示す平面図、図５（ｃ）は図５（ｂ）の不織布に収納した備蓄用寝具セットをさらにフィルム袋体内に収納した状態を示す平面図、図５（ｄ）は図５（ｃ）に示す状態の備蓄寝具セットをプレス機内に搬入して加圧・吸引を施す様子を示す側面図である。
【図６】本発明の一実施の形態を示す図で、出荷時の梱包の手順を示す図であり、図６（ａ）は加圧・吸引により圧縮された備蓄寝具セットを示す側面図、図６（ｂ）は図６（ａ）に示した備蓄寝具セットをＺ字状に折り畳んだ状態を示す側面図、図６（ｃ）はＺ字状に折り畳んだ状態の備蓄寝具セットをテープで固定した状態を示す側面図、図６（ｄ）は図６（ｃ）の備蓄寝具セットを箱詰めした状態を箱の一部を切り欠いて示す側面図である。
【図７】本発明の一実施の形態を示す図で、図６（ｃ）の備蓄寝具セットを箱詰めした状態を示す斜視図である。
【図８】本発明の一実施の形態を示す図で、備蓄寝具セットを収納したフィルム袋体を破る際に使用するカッタを示す平面図である。
【発明を実施するための形態】
【００１１】
以下、図１乃至図８を参照して本発明の一実施の形態について説明する。この一実施の形態による備蓄寝具セット１は、例えば、図１に示すように、３つのスプリングマットレス分割単位３ａ、３ｂ、３ｃと、上記スプリングマットレス分割単位３ａの上に載置される枕５と、３つのスプリングマットレス分割単位３ａ、３ｂ、３ｃの上の全面に広げて掛けられる掛布団７と、から構成されている。
上記枕５は、上記スプリングマットレス分割単位３ａの幅と同じ幅となっている。これにより、親が小さな子供と添い寝できるようになっている。
【００１２】
上記スプリングマットレス分割単位３ａは、図２に示すように、内部に図示しない複数のポケットコイルが内装されたマットレス分割単位本体９ａと、このマットレス分割単位本体９ａの図２中右側面に設置された面ファスナのループ面１１、１１と、から構成されている。上記ループ面１１、１１は、それぞれ、上記スプリングマットレス分割単位３ａの幅方向（図２中上下方向）に略３等分した２箇所に設置されている。
【００１３】
また、上記スプリングマットレス分割単位３ｂは、マットレス分割単位本体９ｂと、このマットレス分割単位本体９ｂの図２中左側面と図２中右側面のそれぞれに２個ずつ設置された面ファスナのフック面１３、１３、１３、１３と、から構成されている。上記マットレス分割単位本体９ｂの図２中左側面のフック面１３、１３は、それぞれ、上記スプリングマットレス分割単位３ｂの幅方向（図２中上下方向）に略３等分した２箇所に設置されていて、上記マットレス分割単位本体９ｂの図２中右側面のフック面１３、１３も、同様に、それぞれ、上記スプリングマットレス分割単位３ｂの幅方向（図２中上下方向）に略３等分した２箇所に設置されている。
【００１４】
上記スプリングマットレス分割単位３ｃは、上記スプリングマットレス分割単位３ａと、同様の構成であり、図２中左側面には、面ファスナのループ面１１、１１が設置されている。このループ面１１、１１も、上記スプリングマットレス分割単位３ｃの幅方向（図２中上下方向）に略３等分した２箇所に設置されている。
そして、上記ループ面１１、１１とそれに対向・配置されたフック面１３、１３とによって上記面ファスナが構成されるようになっている。上記スプリングマットレス分割単位３ａ、３ｂ、３ｃはそれら面ファスナを介して着脱可能に構成されている。
【００１５】
また、図３に示すように、上記スプリングマットレス分割単位３ａのマットレス分割単位本体９ａの底面には、滑り止めシート１５が設置されている。同様に、上記スプリングマットレス分割単位３ｂのマットレス分割単位本体９ｂ、上記スプリングマットレス分割単位３ｃのマットレス分割単位本体９ａの底面にも、滑り止めを目的とした滑り止めシート１５が設置されている。上記滑り止めシート１５は、布製のシート本体１５ａと、このシート本体１５ａの全面に突設された複数個のゴム製突起１５ｂとから構成される。
【００１６】
なお、面ファスナの位置を幅方向に略３等分した２箇所に設置した理由であるが、これは、十分な連結強度を得るためである。以下、説明すると、上記スプリングマットレス分割単位３ａ、３ｂ、３ｃの連結強度は、上記面ファスナによる密着強度に上記滑り止めシート１５による滑り止め機能が加わったものとなる。よって、使用時に、上記スプリングマットレス分割単位３ａ、３ｂ、３ｃが不用意に離脱してしまうようなこともなく、それによっても、快適な使用感を得ることができる。なお、例えば、使用者（図４中符号１６で示す。）がスプリングマットレス分割単位３ａ、３ｂ、３ｃの端に足を引っ掛けたような場合には、スプリングマットレス分割単位３ａ、３ｂ、３ｃの連結が解除されることになるので、使用者が転倒するようなこともない。
このように、本実施の形態では、必要な連結強度を確実に得るとともに、使用者の不用意な転倒を防止できる程度の連結強度をえるために、面ファスナの位置を幅方向に略３等分した２箇所としている。
【００１７】
また、上記スプリングマットレス分割単位３ａ、３ｂ、３ｃは、図４に示すように、全て積み重ねて背もたれとして使用されることもある。その際、フック面１３を備えたスプリングマットレス分割単位３ｂを最下位に配置する。通常、フック面１３は背中に対して違和感を与えるが、最下位に配置することにより、フック面１３が背中に当たることはなく、そのような違和感を与えることもない。
なお、図４では使用者１６はスプリングマットレス分割単位３ａ、３ｂ、３ｃの横の面を背もたれとして使用しているので、そもそも、上記フック面１３の問題はない。  また、図４に示すように積み重ねた上記スプリングマットレス分割単位３ａ、３ｂ、３ｃが腰掛と使用される場合もある。腰掛けとして使用した場合には上記ループ面１３が使用者１６の足に当たることが懸念されるが、上記したように、フック面１３を最下位に配置することによりそのような違和感を軽減することができる。
【００１８】
次に、出荷時における備蓄寝具セット１の梱包方法について説明する。
まず、図５（ａ）に示すように、スプリングマットレス分割単位３ａ、３ｂ、３ｃを、それぞれ所定の間隔（ｄ）だけ離間させて配置する。この状態で、上記スプリングマットレス分割単位３ａ上に枕５を載置するとともに、上記スプリングマットレス分割単位３ａ、３ｂ、３ｃ上に掛布団７を掛ける。
上記所定の間隔（ｄ）は、スプリングマットレス分割単位３ａ、３ｂ、３ｃの圧縮後の高さ（ｈ）（図６（ａ）に示す。）と略同じである。
【００１９】
その後、図５（ｂ）に示すように、上記スプリングマットレス分割単位３ａ、３ｂ、３ｃ、上記枕５、及び、上記掛布団７を、そのままの状態で不織布製袋体１９内に収納し、更に、図５（ｃ）に示すように、フィルム袋体２１内に封入する。このフィルム袋体２１は、伸縮しにくく、ガスバリア性が高く、比較的厚めな、真空パック用の樹脂製フィルムを袋状に構成したものである。
そして、図５（ｄ）に示すように、上記フィルム袋体２１に吸引用パイプ２５を接続する。この吸引用パイプ２５の先端側には図示しない吸引ポンプが接続されていて、この吸引ポンプによって上記フィルム袋体２１内の空気を抜く。また、上記フィルム袋体２１内の空気を真空引きすると同時に、プレス２７ａ、２７ｂによって加圧する。上記フィルム袋体２１内の空気を抜き終わったら、上記吸引用パイプ２５を抜き取り、上記フィルム袋体２１の開口端側を熱溶着して密封する。
【００２０】
以上のような作業を経て、備蓄寝具セット１がフィルム袋体２１内に圧縮された状態で収納され、図６（ａ）に示すような備蓄寝具セット真空パック２９となる。この備蓄寝具セット真空パック２９には、上記スプリングマットレス分割単位３ａと上記スプリングマットレス分割単位３ｂとの間、及び、上記スプリングマットレス分割単位３ｂと上記スプリングマットレス分割単位３ｃとの間、において、掛布団７、不織布製袋体１９、及び、フィルム袋体２１が圧縮され、折り畳み部分としてのヒンジ部３１ａ、３１ｂが形成されている。上記備蓄寝具セット真空パック２９は、これらヒンジ部３１ａ、３１ｂを介して、図６（ｂ）に示すように、Ｚ字状に折り畳まれる。このとき、枕５が配置されている上記スプリングマットレス分割単位３ａが図６（ａ）中最上位に位置する
更に、上記備蓄寝具セット真空パック２９は、図６（ｃ）に示すように、帯状体としてのテープ３３、３３によって、上記Ｚ字状に折り畳まれた状態が保持される。また、上記テープ３３と上記備蓄寝具セット真空パック２９の間には、後述するカッタ４１が挟み込まれる。
【００２１】
なお、既に述べたように、スプリングマットレス分割単位３ａと上記スプリングマットレス分割単位３ｂとの間や上記スプリングマットレス分割単位３ｂと上記スプリングマットレス分割単位３ｃとの間の所定の間隔（ｄ）は、そのまま、上記ヒンジ部３１ａ、３１ｂの長さとなっており、これが上記スプリングマットレス分割単位３ａ、３ｂ、３ｃの高さ（ｈ）と略同じになっているので、上記ヒンジ部３１ａ、３１ｂを不必要に弛ませることなくＺ字状に折り畳むことができる。
【００２２】
そして、上記備蓄寝具セット真空パック２９は、図６（ｄ）、図７に示すように、ダンボール製収納箱３５に収納される。この一実施の形態では、上記段ボール製収納箱３５内に５つの上記備蓄寝具セット真空パック２９が収納される。段ボール製収納箱３５内に収納された備蓄寝具セット真空パック２９はそのままの状態で出荷される。そして、災害発生時の緊急用の寝具として、そのままの状態で、例えば、災害装備倉庫内に保管される。
【００２３】
次に、収納された上記備蓄寝具セット真空パック２９から備蓄寝具セット１を取り出して使用する際の作業について説明する。
上記段ボール製収納箱３５から使用する備蓄寝具セット真空パック２９を取り出し、テープ３３、３３を除去して、Ｚ字状に折り畳まれている上記備蓄寝具セット真空パック２９を広げる。このとき、後述するカッタ４１取り出す。その後、このカッタ４１を用いてフィルム袋体２１の長さ方向の一端（例えば、図６（ａ）中左端側）を幅方向（図６（ａ）中紙面垂直方向）に切断して開封し、内部から不織布製袋体１９ごとスプリングマットレス分割単位３ａ、３ｂ、３ｃ、枕５、掛布団７を取り出す。
そして、上記不織布製袋体１９内から、スプリングマットレス分割単位３ａ、３ｂ、３ｃ、枕５、掛布団７を取り出す。後は、スプリングマットレス分割単位３ａ、３ｂ、３ｃを面ファスナのループ面１１とフック面１３を介して連結すれば良く、そのままの状態で寝具として使用できる。
また、上記段ボール製収納箱３５であるが、上記カッタ４１を用いて、図７中仮想線で示す箇所を切断して、展開させることにより、間仕切りとして使用される。
【００２４】
なお、既に述べたように、上記フィルム袋体２１を切断して開封する際、カッタ４１を用いるが、このカッタ４１は図８に示すような構成となっている。
すなわち、上記カッタ４１は、板状で肉抜き孔４３、４５と、スリット４７が形成されたカッタ本体４９と、上記スリット４７内に設置された刃５１が構成される。
上記カッタ４１を使用する際は、上記スリット４７内に上記フィルム袋体２１を挿入し、上記刃５１によって上記フィルム袋体２１を切断する。
【００２５】
次に、この一実施の形態による効果について説明する。
まず、備蓄寝具セット１を災害に備えてコンパクトな状態で出荷・保管することができる。これは、スプリングマットレス分割単位３ａ、３ｂ、３ｃ、枕５、掛布団７を、不織布製袋体１９を介してフィルム袋体２１内に封入し、圧縮して備蓄寝具セット真空パック２９とした後、折り畳んで固定した状態で出荷・保管できるようにしたからである。また、テープ３３、３３によって上記備蓄寝具セット真空パック２９が折り畳んだ状態を保持しているので、このことによっても、上記備蓄寝具セット真空パック２９をコンパクトな状態で出荷・保管することができる。
また、不織布製袋体１９を介してフィルム袋体２１内に封入するようにしているので、フィルム袋体２１内への封入時の滑り効果を得ることができ、それによって、梱包作業の容易化を図ることができる。
また、３つのスプリングマットレス分割単位３ａ、３ｂ、３ｃが用いられており、上記備蓄寝具セット真空パック２９は、Ｚ状に畳まれているので、容易に梱包できると共に、備蓄するための空間を少なくすることができる。
【００２６】
また、スプリングマットレス分割単位３ａ、３ｂ、３ｃを所定の間隔（ｄ）を存した状態で並べるようにしたので、その部分のフィルム袋体２１と掛布団７がヒンジ部３１ａ、３１ｂとして機能することになり、折り畳み工程の作業の容易化を図ることができる。
また、上記ヒンジ部３１ａ、３１ｂは、上記フィルム袋体２１だけでなく、内部の上記掛布団７とともに構成されているので、適度に強度があり、ヒンジ部としての機能が確実に担保されるようになっている。
また、上記ヒンジ部３１ａ、３１ｂの長さが所定の間隔（ｄ）に設定されているので、上記ヒンジ部３１ａ、３１ｂが折り畳み後に不必要に弛んではみ出てしまうようなこともない。
また、本実施の形態による寝具が緊急時の寝具として使用される場合には、長期間保管されることになるが、出荷時のコンパクトな状態でそのまま保管すれば良く、保管の為のスペースも小さなもので事足りる。
【００２７】
また、使用する際の準備も容易である。すなわち、使用する際は上記フィルム袋体２１の端部をカッタ４１を用いて除去し、中に収納されていた上記スプリングマットレス分割単位３ａ、３ｂ、３ｃ、枕５、掛布団７を取り出し、上記スプリングマットレス分割単位３ａ、３ｂ、３ｃを面ファスナのループ面１１とフック面１３を介して連結すれば良いからである。なお、上記カッタ４１は、上記備蓄寝具セット真空パック２９と上記テープ３３の間に挟み込まれて予め付属されているので、このことによっても、使用する際の準備が容易になっている。
【００２８】
また、快適な使用感を提供することができる。すなわち、通常のベッドと変わらないスプリングマットレス分割単位３ａ、３ｂ、３ｃを用いてからであり、例えば、災害時に避難所で使用する場合においても快適な使用感を得ることができる。
そして、災害時、特に、震災時など、比較的長期間の避難生活を余儀なくされる場合に備えて、地域自治体などが備蓄するのに相応しく、使用する際の準備が容易であり、高齢者や妊婦など、体育館などの床に毛布や段ボール程度で寝かすには相応しくない人達に少しでも良い寝心地を提供することができる。
また、避難所から仮設住宅等に移動した後も、備蓄寝具セット１をそのまま使用することができる。
【００２９】
また、面ファスナは上記スプリングマットレス分割単位３ａ、３ｂ、３ｃの幅方向に略３等分した２箇所に設置されているので、適度な連結力を得ることができ、例えば、使用時に、上記スプリングマットレス分割単位３ａ、３ｂ、３ｃが不用意に離脱してしまうようなこともなく、それによっても、快適な使用感を得ることができる。
また、例えば、使用者がスプリングマットレス分割単位３ａ、３ｂ、３ｃの端に足を引っ掛けたような場合には、スプリングマットレス分割単位３ａ、３ｂ、３ｃの連結が解除され、使用者の転倒を防止することができる。
【００３０】
また、上記スプリングマットレス分割単位３ａのマットレス分割単位本体マットレス分割単位本体９ａの底面には、滑り止めを目的とした滑り止めシート１５が設置されていて、同様に、上記スプリングマットレス分割単位３ｂのマットレス分割単位本体マットレス分割単位本体９ｂや上記スプリングマットレス分割単位３ｃのマットレス分割単位本体マットレス分割単位本体９ｃの底面にも、滑り止めを目的とした滑り止めシート１５が設置されているので、使用中に備蓄寝具セット１が不用意に移動してしまうことを防止することができ、それによっても、快適な使用感を得ることができる。
なお、上記滑り止めシート１５は上記スプリングマットレス分割単位３ａ、３ｂ、３ｃの連結強度を高める上でも寄与している。
【００３１】
なお、本発明は前記一実施の形態に限定されない。
前記一実施の形態の場合には、災害時発生時に避難所で使用するような場合を想定して説明しているが、それに限定されるものではなく、その後の仮設住宅や普通の住まいでも使用することができる。
また、前記一実施の形態の場合は、ポケットコイルのスプリングマットレス分割単位を例に挙げて説明したが、それに限定されるものではなく、ボンネルコイルのスプリングマットレス分割単位であっても良い。
更に、シーツや布団カバ、枕カバをもフィルム袋体内に封入するようにしてもよい。
更に、複数個のスプリングマットレス分割単位を重ね合わせた全体の締結は、テープの巻回により行われる以外に、幅広のＰＰバンドで締結する、別の袋体内に入れるなど、他の手段であってもよい。
また、枕をフィルム袋体内に封入しない事で、本発明思想を逃れられるものではない。
また、前記一実施の形態では、３個のスプリングマットレス分割単位を着脱可能に連結するようにしたが、２個、４個以上であっても良い。
また、スプリングマットレス分割単位の個数により折り畳み方も異なる。
また、上記スプリングマットレス分割単位、枕、掛布団をフィルム袋体に入れる前に不織布製袋体に入れたが、これらを袋状ではない不織布で包むだけでもよい。
その他、本願発明は図示した構成に限定されるものではなく、様々な変形が考えられる。
【産業上の利用可能性】
【００３２】
本発明は、備蓄用寝具のセット方法と備蓄用寝具セットに係り、特に、コンパクトな状態で出荷及び保管することができ、災害時、特に、震災時など、比較的長期間の避難生活を余儀なくされる場合に備えて、地域自治体などが備蓄するのに相応しく、使用する際の準備が容易であり、高齢者や妊婦など、体育館などの床に毛布や段ボール程度で寝かすには相応しくない人達に少しでも良い寝心地を提供することができるように工夫したものに関し、例えば、避難所に保管される防災用具としての寝具に好適である。
【符号の説明】
【００３３】
１  備蓄寝具セット
３ａ  スプリングマットレス分割単位
３ｂ  スプリングマットレス分割単位
３ｃ  スプリングマットレス分割単位
５  枕
７  掛布団
１１  フック面
１３  ループ面
１５  ゴムシート（滑り止め手段）
１９  不織布製袋体（不織布）
２１  フィルム袋体
３１ａ  ヒンジ部（折り畳み部分）
３１ｂ  ヒンジ部（折り畳み部分）
３３  テープ
４１  カッタ
【図１】
2018057666.tif 000003
【図２】
2018057666.tif 000004
【図３】
2018057666.tif 000005
【図４】
2018057666.tif 000006
【図５】
2018057666.tif 000007
【図６】
2018057666.tif 000008
【図７】
2018057666.tif 000009
【図８】
2018057666.tif 000010